(57)【特許請求の範囲】
【請求項１】
一面側に略Ｃ字状に折曲形成された複数の鋼製のスタッドが開口面を内側に向けて隣接して立設され、他の一面側も複数の鋼製のスタッドが開口面を内側に向けて隣接して立設され、相互に開口面が対向して中空層を形成し、両外面側に壁材が貼設された遮音耐火間仕切り壁構造であって、
前記相互に開口面が対向して中空層を形成する複数のスタッドの折曲部の位置をずらして千鳥配置されていると共に、該スタッドの前記折曲部先端縁を、対向する他のスタッドの開口面から、離間させて前記中空層を、該他のスタッドの開口面との間に介在させるように、前記複数のスタッドが対向する開口面の上下を、該スタッドの幅方向寸法よりも、幅狭の幅方向寸法を有するピース金具を介して固定することを特徴とする遮音耐火間仕切り壁構造。
【請求項２】
前記鋼製のスタッドの厚さが４．０ｍｍ以上であることを特徴とする請求項１記載の遮音耐火間仕切り壁構造。
【発明の詳細な説明】
【０００１】
【発明の属する技術分野】
本発明は、遮音耐火間仕切り壁構造に関する。
【０００２】
【従来の技術】
従来、図５に示すように間仕切り壁１００構造としては、略Ｃ字状に折曲形成された柱材である複数の鋼製のスタッド３０を一定間隔に立設し、その両表面に壁材２０を貼設して耐火構造の間仕切り壁構造とするものである。この場合には、壁材２０としては通常石膏ボード等で構成され、一側面、他側面とも同一の材質且同一の厚みのものが用いられていた。（特公昭６１−２７５３４号公報、実公昭５６−３５４４８号公報）
【０００３】
【発明が解決しようとする課題】
然しながら、従来技術には以下の問題点がある。
▲１▼火災等が発生した場合に加熱による鋼製のスタッド３０の熱橋を抑えるため、スタッド３０は軽量化（厚さ０．６ｍｍ）され、遮音性能を維持する為の重量は壁材２０である石膏ボードに持たせる為、石膏ボードが厚く（１５ｍｍ〜３０ｍｍ）なり、又石膏ボード変形時の目地開きを防止する為片面２重貼り以上になされている。従って間仕切り壁１００構造の厚みが１０５ｍｍ〜１６０ｍｍ厚と大きくなり、一般の間仕切り壁構造の厚み（７０ｍｍ〜１００ｍｍ）とは異なることとなり、設計プラン等に制約を生ずる。
【０００４】
▲２▼間仕切り壁１００の両面の壁材２０に同一の石膏ボードを用いた場合には、当然剛性、厚み、密度が同一となって、両面のコインシデンス周波数ｆｃが一致する。この場合、間仕切壁１００全体でもｆｃ付近で透過損失が大幅に低下し遮音性を損なっていた。
【０００５】
▲３▼間仕切り壁１００の構造材としての鋼製のスタッド３０に金属製ビス等を用いてランナー５０等に固定するとき、金属製ビス等が鋼製のスタッド３０への熱橋となり、鋼製のスタッド３０を例えば 260℃以下の耐火温度に維持できない不都合を招く。
【０００６】
本発明の課題は、遮音耐火間仕切り壁構造を構築するに際し、間仕切り壁の厚さを増加させること無く、遮音耐火性能を向上させると共に、間仕切り壁構造の簡易化を図ることにある。更に、間仕切り壁構造が固定される建物の構造材の遮音耐火性能を向上することにある。
【０００７】
【課題を解決するための手段】
請求項１に記載の本発明は、一面側に略Ｃ字状に折曲形成された複数の鋼製のスタッドが開口面を内側に向けて隣接して立設され、他の一面側も複数の鋼製のスタッドが開口面を内側に向けて隣接して立設され、相互に開口面が対向して中空層を形成し、両外面側に壁材が貼設された遮音耐火間仕切り壁構造であって、
前記相互に開口面が対向して中空層を形成する複数のスタッドの折曲部の位置をずらして千鳥配置されていると共に、該スタッドの前記折曲部先端縁を、対向する他のスタッドの開口面から、離間させて前記中空層を、該他のスタッドの開口面との間に介在させるように、前記複数のスタッドが対向する開口面の上下を、該スタッドの幅方向寸法よりも、幅狭の幅方向寸法を有するピース金具を介して固定することを特徴とする遮音耐火間仕切り壁構造である。
【０００８】
請求項２に記載の本発明は、請求項１に記載の本発明において更に、前記鋼製のスタッドの厚さが４．０ｍｍ以上であることを特徴とするものである。特に、鋼製のスタッドの厚さが４．０〜９ｍｍの範囲がコスト面から経済的である。
【００１１】
【作用】
請求項１、２に記載の本発明によれば下記の作用がある。
(1)遮音耐火間仕切り壁構造が鋼製のスタッドと壁材１重貼り構成であるので施工が簡単であり、また従来仕様に比べてコストが安い。
【００１２】
▲２▼鋼製のスタッドの厚さが４．０ｍｍ以上と従来のスタッド（０．６ｍｍ厚）より重量があるので遮音性能が向上する。又対向する鋼製のスタッドの折曲部の位置をずらして千鳥配置したので音の伝搬を抑制することができ、両面のコインシデンス周波数ｆｃが一致せず、間仕切り壁全体でもｆｃ付    近で透過損失の低下が少なく、遮音性能が更に向上する。又、耐火性能的にも耐火１時間構造の間仕切り壁として有効なものとなる。
【００１３】
(3)鋼製のスタッドの折曲部の位置をずらして千鳥配置すると共に、対向するスタッドの上下をピース金具を介して固定することにより、熱の伝達を最小限に止め耐火性能を更に優れたものとして確保した。
【００１４】
▲４▼略Ｃ字状に折曲形成された鋼製のスタッドの折曲部を隣接して突合せ配置することで、火災発生時加熱されて鉄が膨張変形した時、スタッドの突合せ部（目地部）に閉じ合うような力が働き耐火性能が更に向上する。
【００１５】
【発明の実施の形態】
図１は本発明の遮音耐火間仕切り壁構造を示す横断面図、図２は本発明の遮音耐火間仕切り壁構造を示す縦断面図、図３は本発明の遮音耐火間仕切り壁構造を示す全体図、図４は本発明の遮音耐火間仕切り壁構造を床スラブに取付けた状態を示す縦断面図である。
【００１６】
図１、図２において、本発明の遮音耐火間仕切り壁１は、一面側を幅３０３ｍｍ、折曲部（リブ部）４２ｍｍ、厚さ４．５ｍｍのＣ形鋼からなる鋼製のスタッド３ａ，３ａ・・が開口部を内側に向け、隣接してリブ部３１ａ，３１ａが突合せ立設され、他の一面側も同様にＣ形鋼からなる鋼製のスタッド３ｂ，３ｂ・・が開口部を内側に向け、隣接してリブ部３１ｂ，３１ｂが突合せ立設され、対向するスタッド３のリブ部がいちをずらして相互に３ａ，３ｂ，３ａ，３ｂ・・と千鳥配置になるように配列され、その内部に中空層２０が形成されている。
【００１７】
そして、前記相互に開口面が対向して中空層２０を形成する複数のＣ形鋼からなる鋼製のスタッド３ａ、３ｂ・・が対向する上下を幅４２ｍｍ、折り曲げ部４０ｍｍ、厚さ２．３ｍｍのピース金具４ａ，４ｂを介してネジ６，６・・により固定され、上下はピース金具４ａ，４ｂを介して枠材５ａ，５ｂにネジ７，７により固定されている。
【００１８】
そして、鋼製のスタッド３ａ、３ｂ・・の両外面側を厚さ９．５ｍｍの石膏ボード２，２がネジ８，８・・により固定されている。更に石膏ボード２，２が枠材５，５と接する上下左右の隙間部分は厚さ５ｍｍのロックウール９及びその上面をシリコン系シーリング材１０でシールされる。
【００１９】
図３において、本発明の遮音耐火間仕切り壁１は、一面側を幅３０３ｍｍの鋼製のスタッド３ａ，３ａ・・が開口部を内側に向けて、１０枚連続して立設され、対する他の一面側も両端部は幅１５１．５ｍｍの鋼製のスタッド３ｃ、３ｃ、中側は同様に幅３０３ｍｍの鋼製のスタッド３ｂ，３ｂ・・が開口部を内側に向けて、９枚連続して立設され，対向する鋼製のスタッドのリブ部の位置が３１ａ，３１ｂ，３１ａ，３１ｂ・・と千鳥配置され、上下左右に枠材５ａ，５ｂ，５ｃ，５ｄが取り付けられ、両外面に石膏ボード２，２が貼付されて幅３０３０ｍｍ（左右枠材込み３２００ｍｍ），高さ３０３０ｍｍ（上下枠材込み３２００ｍｍ），厚さ７０ｍｍの耐火1時間構造の遮音耐火間仕切り壁１の全体が構成される。
【００２０】
図４において、床スラブ１１の上階側及び下階側に遮音耐火間仕切り壁１、１が枠材５，５を用いずに直接ピース金具４，４を介してビス７により床スラブ１１の上面及び下面に固定されていても良い。尚１２は天井材、１３は天井下地材、１４は天井材吊り具である。
【００２１】
本実施形態によれば以下の作用がある。
▲１▼遮音耐火間仕切り壁１の構造が鋼製のスタッド３と石膏ボード２の壁材１重貼り構成であるので施工が簡単であり、また石膏ボード２重貼り以上の従来仕様に比べてコストが安い。
【００２２】
▲２▼鋼製のスタッド３の厚さが４．５ｍｍと従来のスタッド（０．６ｍｍ厚）より重量があるので遮音性能が向上する。又対向する鋼製のスタッド３のリブ部を３１ａ，３１ｂ，３１ａ，３１ｂ・・のように位置をずらして千鳥配置したので音の伝搬を抑制することができ、両面のコインシデンス周波数ｆｃが一致せず、間仕切壁１全体でもｆｃ付近で透過損失の低下が少なく遮音性能が更に向上する。又、耐火性能的にも耐火1時間構造の間仕切り壁として有効なものとなる。
【００２３】
▲３▼鋼製のスタッド３のリブ部を３１ａ，３１ｂ，３１ａ，３１ｂ・・のように位置をずらして千鳥配置すると共に、対向するスタッド３の上下をピース金具４を介して固定することにより、熱の伝達を最小限に止め耐火性能を更に優れたものとして確保した。
【００２４】
▲４▼略Ｃ字状に折曲形成された鋼製のスタッド３を隣接してリブ部３１，３１を突合せ配置することで、火災発生時加熱されて鋼製のスタッド３の鉄が膨張変形した時、スタッド３の突合せしたリブ部３１，３１（目地部）に閉じ合うような力が働き耐火性能が更に向上する。従って、目地部に防耐火機能を備える必要がなく、目地構造を簡易化できる。
【００２５】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の遮音耐火間仕切り壁構造において、対向する鋼製のスタッド内部の中空層にグラスウール等の断熱材を充填し、更に耐火性能を向上させることもできる。
【００２６】
【発明の効果】
以上のように、本発明の遮音耐火間仕切り壁構造によれば、施工が簡単で、コストも安く、遮音性、耐火性に優れた間仕切り壁構造が得られる。
【図面の簡単な説明】
【図１】図１は本発明の遮音耐火間仕切り壁構造を示す横断面図である。
【図２】図２は本発明の遮音耐火間仕切り壁構造を示す縦断面図である。
【図３】図３は本発明の遮音耐火間仕切り壁構造を示す全体図である。
【図４】図４は本発明の遮音耐火間仕切り壁構造を床スラブに取付けた状態を示す縦断面図である。
【図５】図５（イ）は従来の遮音耐火間仕切り壁構造を示す一部切り欠き斜視図である。
図５（ロ）は従来の遮音耐火間仕切り壁構造を示す横断面図である。
【符号の説明】
１   遮音耐火間仕切り壁
２   壁材（石膏ボード）
３，３ａ，３ｂ   スタッド
３１，３１ａ，３１ｂ  リブ部
４，４ａ，４ｂ   ピース金具
５，５ａ，５ｂ，５ｃ，５ｄ     枠材
６，７，８ネジ
９   ロックウール
１０     シリコン系シーリング
１１     床スラブ
１２     天井材
１３     天井下地材
１４     天井吊り具
【図１】
0003996803.tif 000002
【図２】
0003996803.tif 000003
【図３】
0003996803.tif 000004
【図４】
0003996803.tif 000005
【図５】
0003996803.tif 000006